(57)【要約】【課題】防犯性及びプライバシーを確保可能な集合住宅の玄関構造及び該玄関構造に使用する仕切りパネルを提供することを目的とする。【解決手段】住戸３の玄関ドア５ａと、共用空間である共用廊下２を、玄関前空間部４で結ぶようにした集合住宅１の玄関構造であって、共用廊下２と玄関前空間部４を仕切る仕切りパネル６を床面７から天井８まで至るようにして設けると共に、仕切りパネル６に開口部６ａを形成し、開口部６ａを開閉する扉体９を設ける。少なくとも仕切りパネル６の玄関ドア５ａに正面対向する部位は、共用廊下２側からは玄関空間部４が望めない構成とし、扉体９は開口部６ａを閉鎖する状態において、共用廊下２側から玄関前空間部４が望める構成とした。【選択図】図１
2006233582.tif 000002
【特許請求の範囲】
【請求項１】
住戸の玄関ドアと、共用空間である共用廊下を、玄関前空間部で結ぶようにした集合住宅の玄関構造であって、前記共用廊下と玄関前空間部を仕切る仕切りパネルを床面から天井まで至るようにして設けると共に、前記仕切りパネルに開口部を形成し、該開口部を開閉する扉体を設けたことを特徴とする集合住宅の玄関構造。
【請求項２】
請求項１において、少なくとも前記仕切りパネルの玄関ドアに正面対向する部位は、共用廊下側からは玄関前空間部が望めない構成となっており、前記扉体は前記開口部を閉鎖する状態において、共用廊下側から玄関前空間部が望める構成としたことを特徴とする集合住宅の玄関構造。
【請求項３】
請求項１において、前記仕切りパネルは前記開口部を除いて、共用廊下側からは玄関前空間部が望めない構成となっており、前記扉体は前記開口部を閉鎖する状態において、共用廊下側から玄関前空間部が望める構成としたことを特徴とする集合住宅の玄関構造。
【請求項４】
請求項１乃至３のいずれかにおいて、前記扉体は格子状の扉であることを特徴とする集合住宅の玄関構造。
【請求項５】
請求項１乃至４のいずれかにおいて、前記玄関ドアと扉体は、玄関ドアを開けた状態で、共用廊下側の扉体の位置から住戸内部が望めない位置関係になっていることを特徴とする集合住宅の玄関構造。
【請求項６】
住戸の玄関ドアと、共用空間である共用廊下を、玄関前空間部で結ぶようにした集合住宅の前記共用廊下と玄関前空間部を仕切るようにした仕切りパネルであって、前記仕切りパネルは床面から天井まで至るようにして設けると共に、前記仕切りパネルに開口部を形成し、該開口部を開閉する扉体を設けたことを特徴とする仕切パネル。
【請求項７】
請求項６において、少なくとも前記仕切りパネルの玄関ドアに正面対向する部位は、共用廊下側からは玄関前空間部が望めない構成となっており、前記扉体は前記開口部を閉鎖する状態において、共用廊下側から玄関前空間部が望める構成としたことを特徴とする仕切りパネル。
【請求項８】
請求項６において、前記仕切りパネルは前記開口部を除いて、共用廊下側からは玄関前空間部が望めない構成となっており、前記扉体は前記開口部を閉鎖する状態において、共用廊下側から玄関前空間部が望める構成としたことを特徴とする仕切りパネル。
【請求項９】
請求項６乃至８のいずれかにおいて、前記玄関ドアと扉体は、玄関ドアを開けた状態で、共用廊下側の扉体の位置から住戸内部が望めない位置関係になっていることを特徴とする仕切体パネル。
【発明の詳細な説明】
【技術分野】
【０００１】
本発明は、複数の住戸からなる集合住宅の技術分野に関するものである。
【背景技術】
【０００２】
従来、集合住宅においてプライバシーの配慮等から共用廊下と玄関ドアの間にポーチ空間（アルゴーブ部）を設けて、玄関ドアが直接共用廊下に面しない玄関構造にしたものがある。（例えば特許文献１）
【０００３】
【特許文献１】特開平８−２８４５６９号公報
【発明の開示】
【発明が解決しようとする課題】
【０００４】
しかし、従来のものは共用廊下とポーチ空間とを仕切る仕切り柵や門扉は人の腰から胸程度の高さであり、必ずしも防犯の役目を果たしていなかった。また玄関ドアを開けた場合には共用廊下側から住戸内部が覗けてしまうため、プライバシーに対しても十分な配慮がなされているとはいえなかった。
【課題を解決するための手段】
【０００５】
本発明は、上記の如き実情に鑑みこれらの課題を解決することを目的として創作されたものであって、請求項１の発明は、住戸の玄関ドアと、共用空間である共用廊下を、玄関前空間部で結ぶようにした集合住宅の玄関構造であって、前記共用廊下と玄関前空間部を仕切る仕切りパネルを床面から天井まで至るようにして設けると共に、前記仕切りパネルに開口部を形成し、該開口部を開閉する扉体を設けたことを特徴としたものである。このようにすることにより、共用廊下から玄関前空間部に入るには必ず仕切りパネルに形成した開口部を開閉する扉体を開放しなくてはならず、この扉体を常時施錠しておくことで泥棒等が住戸内部に侵入することが極めて困難になり住戸の防犯性が飛躍的に向上する。請求項２の発明は、請求項１の発明において、少なくとも前記仕切りパネルの玄関ドアに正面対向する部位は、共用廊下側からは玄関前空間部が望めない構成となっており、前記扉体は前記開口部を閉鎖する状態において、共用廊下側から玄関前空間部が望める構成としたことを特徴としたものである。そしてこのようにすることで玄関ドアを開放した場合でも、共用廊下側から住戸内部が見られることが無い。
請求項３の発明は、請求項１の発明において、前記仕切りパネルは前記開口部を除いて、共用廊下側からは玄関前空間部が望めない構成となっており、前記扉体は前記開口部を閉鎖する状態において、共用廊下側から玄関前空間部が望める構成としたことを特徴としたものである。そしてこのようにすることで、玄関前空間部内に共用廊下側から見え難い死角を形成することが可能で当該部分を物置としても利用できるものでありながら、集合住宅自体の景観が損なわれることが無い。また訪問者が来た場合には住人が玄関ドアを開放するだけで、扉体で共用廊下と玄関前空間部が完全に仕切られた状態で訪問者の顔を確認できる為、宅配を装った強盗等の被害に遭うことも無い。請求項４の発明は、請求項１乃至３のいずれかにおいて、前記扉体は格子状の扉であることを特徴としたものである。このようにすることで扉体の閉鎖状態において、防犯性を維持しながら扉体の部分から共用廊下側が確認できる。尚、格子状の扉体とした場合には防犯上、扉体の施錠装置に近い部分はその格子を細かくするなどして、共用廊下側から玄関前空間部に位置する施錠操作部が工具等で操作出来ない構成にすることが好ましい。請求項５の発明は、請求項１乃至４のいずれかにおいて、前記玄関ドアと扉体は、玄関ドアを開けた状態で、共用廊下側の扉体の位置から住戸内部が望めない位置関係になっていることを特徴としたものである。このようにすることにより、玄関ドアを開けても共用廊下側にいる訪問者からは住戸内部を見ることが出来ず、プライバシーが確保される
【０００６】
請求項６の発明は、住戸の玄関ドアと、共用空間である共用廊下を、玄関前空間部で結ぶようにした集合住宅の前記共用廊下と玄関前空間部を仕切るようにした仕切りパネルであって、前記仕切りパネルは床面から天井まで至るようにして設けると共に、前記仕切りパネルに開口部を形成し、該開口部を開閉する扉体を設けたことを特徴としたものである。仕切りパネルは住戸の壁部とは別体であって、共用廊下と玄関前空間部を仕切る状態で、四周が天井部、床部、左右壁部に当接または近接対向するようにして設けられる。仕切りパネルは天井部、床部、左右壁部で囲まれる空間の全面を覆う必要は無く、扉体を開けて仕切体パネルの開口部通過するようにする以外に共用廊下側から玄関前空間部に進入することが出来ないように設置されていれば良い。住戸の壁部で前記仕切りパネルを形成するものではなく別体であるので、仕切りパネルに形成する開口部等の位置が可変であり、また他の部分に採光や通風の為の窓部等が設置可能でバリエーションが豊富となる。請求項７発明は、請求項６において、少なくとも前記仕切りパネルの玄関ドアに正面対向する部位は、共用廊下側からは玄関前空間部が望めない構成となっており、前記扉体は前記開口部を閉鎖する状態において、共用廊下側から玄関前空間部が望める構成としたことを特徴としたものである。そしてこのようにすることにより請求項２と同様に玄関ドアを開けた状態であっても住戸内部のプライバシーが確保される。請求項８発明は、請求項６において、前記仕切りパネルは前記開口部を除いて、共用廊下側からは玄関前空間部が望めない構成となっており、前記扉体は前記開口部を閉鎖する状態において、共用廊下側から玄関前空間部が望める構成としたことを特徴としたものである。このようにすることにより請求項３と同様の効果がある。請求項９の発明は、請求項６乃至８のいすれかのにおいて、前記玄関ドアと扉体は、玄関ドアを開けた状態で、共用廊下側の扉体の位置から住戸内部が望めない位置関係になっていることを特徴したものである。そしてこのようにすることで請求項４と同様の効果がある。
【発明の効果】
【０００７】
請求項１の発明とすることにより、住戸の防犯性が向上する。
請求項２の発明とすることにより、住戸内部のプライバシーが確保される。
請求項３の発明とすることにより、集合住宅自体の景観が損なわれること無く、玄関空間部を物置として利用であると共に、仕切りパネルの扉体が閉鎖状態であっても共用廊下側の訪問者が確認でき、住戸の防犯性がさらに向上する。
請求項４の発明とすることにより、住戸の防犯性が向上する。
請求項５の発明とすることにより、住戸のプライバシーが十分確保される。
請求項６の発明とすることにより、請求項１と同様に住戸の防犯性が向上する。
請求項７の発明とすることにより、請求項２と同様に住戸内部のプライバシーが確保される。
請求項８の発明とすることにより、請求項３と同様に集合住宅自体の景観が損なわれること無く、玄関空間部を物置として利用であると共に、仕切りパネルの扉体が閉鎖状態であっても共用廊下側の訪問者が確認でき、住戸の防犯性がさらに向上する。
請求項９の発明とすることにより、請求項５と同様に住戸のプライバシーが十分確保される。
【発明を実施するための最良の形態】
【０００８】
次に、本発明の実施の形態について、図面に基づいて説明する。
図面において、１はマンション等の集合住宅であり、集合住宅１は外廊下等の共用廊下２に沿って複数の住戸３が配置されており、各住戸３は共用廊下２によって互いに接続されている。住戸３と共用廊下２は、床から天井まで延出する壁部３ａ、３ｂ、３ｃにより各空間が仕切られている。住戸３は共用廊下２に面する部分に一部が住戸３の内部側に一段段落ちするように切りかかれた凹部が形成されており、該凹部は玄関前空間部４を構成する。住戸３の内部と玄関前空間部４を仕切る壁部３ｂには住戸３の玄関部５と玄関前空間部４とを結ぶ玄関ドア５ａが設置されており、住人は共用廊下２から玄関前空間部４を通過し、そして玄関ドア５ａを開放して住戸３の内部に出入りすることになる。
【０００９】
玄関前空間部４の共用廊下２に面する幅Ｌ１は、住戸３の玄関部の幅Ｌ２よりも大きく形成されており、また玄関前空間部４と共用廊下２の間には後述する仕切りパネル６が設けられている。前記仕切りパネル６は住戸３の壁部３ａとは別体で形成されており、共用廊下２と玄関前空間部４を仕切る状態で、四周が天井部７、床部８、左右壁部３ａ、３ａに当接又は近接対向するようにして設けられる。つまり仕切りパネル６は天井部７、床部８、左右壁部３ａ、３ａで囲まれる空間にはめ込むようにして設置される。このようにして玄関前空間部４は壁部３ｂ、３ｃと仕切りパネル６に囲まれる状態となっている。
【００１０】
図２に示すように、仕切りパネル６は各パネル体６１、６２、６３を組み合わせることで、仕切りパネル６の左右方向略中央部分に開口部６ａが形成されている。もっとも仕切りパネル６は複数のパネルから構成することなく、一枚のパネルで構成し、その略中央部分にパネルを切欠いて開口を設けるようにしても良い。各パネル体６１、６２、６３は芯材の両面を表裏面材で被う構造をしており、上述のように仕切パネル６を設けた場合には、パネル体６１、６２、６３の部分は共用廊下２側から玄関前空間部４側が見通せない構造となっている。前記開口部６ａはその下端が床面７と同一レベルであり段差が発生しないように考慮してある。また、開口部６ａの高さＨ１は人が屈まずに通り抜けられる程度の大きさであり本実施形態では２０００ｍｍ程度である。本発明において前記開口部の大きさは通常の玄関戸の開口と略同程度あれば良く、さらにそれ以上の大きさであっても良い。
【００１１】
前記開口部６ａには、丁番６ｂを介して扉体９が開閉可能の取り付けられている。扉体は９の大きさは開口部６ａと同じでも良いが、本実施の形態のように上下部分に多少の隙間を設けるようにしても良い。この場合、該隙間は扉体９の閉鎖状態において、人が共用廊下２側から玄関前空間部４に侵入できない程度の大きさである。図２に示すように本実施の形態において前記扉部９は格子状の扉であり、扉体９の閉鎖状態において、玄関空間部４側から共用廊下２側が見通せるようになっている。仕切りパネル６には前記扉体９の戸先側に位置して施錠装置６ｃが設けられており、扉体９は閉鎖状態において施錠可能である。このようにすることで玄関空間部４と共用廊下２とが仕切りパネル６及び扉体９で完全に仕切られるようになり、さらに扉体９は格子状の扉である為、前記仕切り状態を維持したまま共用廊下２側の訪問者を確認できるようになっている。尚、本実施の形態のように格子状の扉体９とした場合には防犯上、扉体９の施錠装置に近い部分はその格子を細かくするなどして、共用廊下２側から玄関前空間４部に位置する施錠操作部が工具等で操作出来ない構成にすることが好ましい。本発明は必ずしも格子状の扉でなくても良く、扉の閉鎖状態において、玄関前空間部４側から共用廊下２側が見通せる構成のものであればよい。例えばガラス戸等でも良い。
【００１２】
前述の通り、仕切りパネル６及び玄関前空間部４の幅Ｌ１は住戸３の玄関部５の幅Ｌ２より大きく構成されている。図１に示すように玄関ドア５ａの対向正面は仕切りパネル６のパネル体６３が位置しており、仕切りパネル６の扉体９は、玄関ドアとの位置関係において、左右方向位置ずれした状態となっている。すなわち玄関ドア５ａの開口と扉体９の開口部６ａとは図１の水平方向にオーバーラップしない位置関係となっている。上述の通り、パネル体６３は共用廊下２側から玄関前空間部４が見通せない構成となっているため、このような配置構成にすることによって、例えば訪問者が訪れた場合、住人が玄関ドア５ａを開けても矢印Ｘの示すように、共用廊下２側にいる訪問者からは住戸内部が見通せないようになっており、住戸３の内部のプライバシーが確保できる。
【００１３】
また、玄関ドア５ａの正面対向しない部位に位置するパネル体６２も、前述の通り共用廊下２側から玄関前空間部４が見通せない構成となっている。このため玄関空間部４の前記パネル体６２に面する部位は、共用廊下側からは見え難い死角となって、当該部分を物置としても利用できるものでありながら、集合住宅自体の景観が損なわれることが無い。
【００１４】
図２、図３に示すように前記パネル体６３には扉体９側に位置してエントランスパネル１０が取り付けられており、該エントランスパネル１０は、新聞受け、インターホン、室名札、照明等が設けられている。また１１は宅配ボックスであり、住人は宅配業者に直接向き合うことなく荷物を受取ることが出来るようになっている。尚、１２は収納棚、１３はサイクルラックであり玄関前空間部４に自転車や荷物が置けるようななっている。
【００１５】
本発明は上記の実施の形態に限定されるものではない。上記実施の形態では、玄関ドアの正面対向しない部位に位置するパネル体６２は、共用廊下２側から玄関前空間部４が見通せない構成となっていたが、例えばパネル体６２に開口を形成し該開口に窓等を設置して通風や採光が出来るようにしても良い。また玄関ドア５ａと仕切りパネル６の位置関係は本実施の形態に限定されること無く、玄関ドア５ａを壁部３ｃ部分に設けるようにしても良く、玄関ドア５ａを開放した際に、共用廊下側から住戸３内部が見えない構成になっていれば良い。
【００１６】
本発明は以上のように構成されているため、共用廊下２から住戸３内部に入るには必ず玄関前空間部４を通過する必要がある。そして玄関前空間部４と共用廊下２は仕切りパネル６により完全に区切られており、仕切りパネル６に形成した開口部６ａに設けた扉体９を開放することで初めて玄関前空間部４に入ることが可能である。そしてこの扉体９に施錠装置を取り付ければ、住戸３内部に入るには扉体９と玄関ドア５ａを開錠することになり、住戸３の防犯性は飛躍的に向上する。
【００１７】
また玄関ドアの正面対向部位は、扉体９は存在せず、当該部位には共用廊下２側から玄関前空間４部が見通せない（望めない）ように仕切りパネル６のパネル体６３が位置しているため、玄関ドア５ａを開放した際に共用廊下２にいる人から住戸３内部を覗かれることが無く、プライバシーが確保できる。また扉体９は格子状の扉で形成されているため、玄関前空間部４が共用廊下２と完全に仕切られた状態で、共用廊下２側の訪問者の顔を確認できる。
【００１８】
さらに、玄関ドア５ａの正面対向部位に位置しない部位においても開口部６ａを除いて、仕切りパネル６は共用廊下２側から玄関前空間部４が見通せない（望めない）ようにパネル体６２が位置しているため、玄関前空間部４のパネル体６２に面する部位は共用廊下２側からは死角となり、当該部分を物置としても集合住宅１全体の外観が損なわれることが無い。
【００１９】
また、玄関の幅Ｌ２よりも仕切りパネル６の幅Ｌ１を十分大きく構成したため、玄関ドア５ａの正面に対向する部位からずらして、仕切りパネル６の開口部６ａ及び扉体９を形成することが可能であり、玄関ドア５ａと扉体９の位置関係を左右方向位置ずれ状態の構成とすることで、扉体９の部分は閉鎖状態で共用廊下２側から玄関前空間部４内を見通せるものでありながら、玄関ドア５ａを開けた際に、扉体９の前に立つ訪問者に住戸３内部を覗かれることが無く、プライバシーが確保できる。
【図面の簡単な説明】
【００２０】
【図１】集合住宅の示す平面図
【図２】仕切りパネルの正面図
【図３】要部拡大図
【符号の説明】
【００２１】
１    集合住宅
２    共用廊下
３    住戸
４    玄関前空間部
５    玄関
５ａ  玄関ドア
６    仕切りパネル
６ａ  開口部
９    扉体
【図１】
2006233582.tif 000003
【図２】
2006233582.tif 000004
【図３】
2006233582.tif 000005